(57)【要約】【課題】  計測データをデータ伝送装置に蓄積し、通信回線の接続、切断をデータ伝送装置側、及びデータ管理装置側の両方で行うデータ管理収集システムを提供する。【解決手段】  データ管理装置２の回線監視部２１は、モデム５を介して行われるデータ伝送装置３との各種データの送受信の状態を監視し、無応答状態の検出を行い、データ管理部２２は、所定のタイミングで特定のデータ伝送装置３との回線を構築し、接続したデータ伝送装置３に計測データの送信を要求し、受信した計測データをデータベース２３に記録する。  また、データ伝送装置３の通信部３１は、回線が接続されると計測データを送信し、異常が発生した際には通信を構築し異常データを送信する。計測データ記憶部３２は、非常用電源が備え付けられ、計測装置から供給される計測データを記憶する。【選択図】  図１
2005130467.tif 000002
【特許請求の範囲】
【請求項１】
計測データを蓄積記憶する第１データ伝送装置、計測データを蓄積記憶する第２データ伝送装置、及び通信装置と前記計測データを記憶するデータベースとを備えるデータ管理装置から構成されるデータ管理収集システムであって、
前記データ伝送装置は、
前記計測データを蓄積記憶する計測データ記憶手段と、
前記データ管理装置との通信回線を構築し、前記計測データを前記計測データ記憶手段から取得し、前記データ管理装置へ送信する通信手段と、
をそれぞれ備え、
前記データ管理装置は、
前記データ伝送装置との前記計測データの送受信の状態を監視し、無応答状態を検出した場合は、前記通信回線の切断を前記通信装置に指示する回線監視手段と、
前記通信手段によって通信回線が構築される特定の前記データ伝送装置から所定のタイミングで前記計測データを受信し、前記データベースに記録するデータ管理手段と、
を備えることを特徴とするデータ管理収集システム。
【請求項２】
前記計測データを表示する表示手段を更に備え、
前記データ管理手段は、
所定の期間ごとに、前記第１データ伝送装置が前記所定の期間に蓄積記憶した第１計測データを受信し、
リアルタイムで、前記第２データ伝送装置が記憶蓄積した第２計測データを受信し、
前記表示手段に、前記第１計測データと前記第２計測データとを同時に表示させる
ことを特徴とする請求項１に記載のデータ管理収集システム。
【請求項３】
前記データ管理手段は、
前記回線監視手段が前記無応答状態を検出したときに、前記表示手段に、前記データ送信装置が前記無応答状態であることを表示させることを特徴とする請求項１乃至請求項２に記載のデータ管理収集システム。
【請求項４】
前記データ伝送装置は、
前記計測データが所定の閾値を超えた際に発せられる異常信号を検出すると、その異常の状況を記録した異常データを生成し、前記通信手段に当該異常データの送信指示を送信完了するまで繰り返す機器監視手段を備えることを特徴とする請求項１乃至請求項３に記載のデータ管理収集システム。
【請求項５】
前記通信手段は、
前記データ管理装置との通信回線を構築し、前記異常データを前記データ管理装置へ送信し、
前記データ管理手段は、
前記異常データを受信したときに、前記表示手段に、異常が発生したこと、及び異常の状況を示す警告データを表示させることを特徴とする請求項４に記載のデータ管理収集システム。  
【請求項６】
前記データ管理手段は、
前記異常データを受信したときに、予め設定された通信機器に、異常が発生したこと、及び異常の状況を示す警告データを送信することを特徴とする請求項４乃至請求項５に記載のデータ管理収集システム。
【請求項７】
前記データ管理手段は、
前記警告データを前記通信機器に送信したことを、前記データベースに記録することを特徴とする請求項６に記載のデータ管理収集システム。
【請求項８】
前記データ伝送装置は、
前記計測データ記憶手段が蓄積記憶する前記計測データと同様の計測データを蓄積記憶する補助記憶手段を更に備えることを特徴とする請求項１乃至請求項７に記載のデータ管理収集システム。
【請求項９】
前記データ伝送装置は、
停電時に電力を供給する補助電源を更に備え、
前記計測データ記憶手段は、
停電時に前記補助電源から電力を供給されることを特徴とする請求項１乃至請求項８に記載のデータ管理収集システム。
【請求項１０】
前記第１データ伝送装置が備える前記通信手段は、
前記第２データ伝送装置との通信回線を構築し、前記第２データ伝送装置が蓄積記憶した前記第２計測データを取得し、
前記第１データ伝送装置が備える前記計測データ記憶手段は、
前記第２計測データを記憶することを特徴とする請求項１乃至請求項９に記載のデータ管理収集システム。
【請求項１１】
前記データ管理手段は、
前記データ伝送装置が前記計測データを蓄積記憶するサンプリング間隔を、設定及び変更することを特徴とする請求項１乃至請求項１０に記載のデータ管理収集システム。
【請求項１２】
前記データ管理手段は、
前記サンプリング間隔が変更された後の前記計測データを受信し、前記データベースと異なる他のデータベースに記録し、
前記他のデータベースは、
所定のデータ記憶容量を超えた場合に、先に受信した前記計測データを順次消去することを特徴とする請求項１１に記載のデータ管理収集システム。
【発明の詳細な説明】
【技術分野】
【０００１】
本発明は、計測データをデータ伝送装置に蓄積し、通信回線の接続、切断をデータ伝送装置側、及びデータ管理装置側の両方で行うデータ管理収集システムに関する。
【背景技術】
【０００２】
近年、上下水道プラントをはじめとするプラントシステムにおいては、インターネット化や設備機器のインテリジェント化が進められており、ネットワークを介して任意の機器で監視を行うデータ管理収集システムの構築が可能となってきており（例えば特許文献１）、例えば、各種計測データを送信するテレメータ（データ伝送装置）とデータ管理装置間で通信回線を構築して計測データの送受信を行っている。
【０００３】
しかしながら、これまでのデータ管理収集システムでは、以下のような問題が発生していた。
【０００４】
まず、データ管理装置側で、通信回線を自動で切断する機能が無いため、切断し忘れると、多大な回線接続費用が発生していた。また、その都度通信回線を接続して、データを送信する場合には、異常、及び  何度もリトライして異常通報する機能がなく、異常通報する場合に困っていた。
【０００５】
また、テレメータ側からの通信回線がダウンした場合、または電源が落ちた場合、その間のデータバックアップや復元が出来なかった。
【特許文献１】特開２００３−２５０２３２号公報
【発明の開示】
【発明が解決しようとする課題】
【０００６】
本発明は上記問題点に鑑みなされたもので、計測データをデータ伝送装置に蓄積し、通信回線の接続、切断をデータ伝送装置側、及びデータ管理装置側の両方で行うデータ管理収集システムを提供することを目的とする。
【課題を解決するための手段】
【０００７】
上記目的を達成するために、本発明の特徴は、計測データを蓄積記憶する第１データ伝送装置、計測データを蓄積記憶する第２データ伝送装置、及び通信装置と計測データを記憶するデータベースとを備えるデータ管理装置から構成されるデータ管理収集システムであって、データ伝送装置は、計測データを蓄積記憶する計測データ記憶手段と、データ管理装置との通信回線を構築し、計測データを計測データ記憶手段から取得し、データ管理装置へ送信する通信手段とをそれぞれ備え、データ管理装置は、データ伝送装置との計測データの送受信の状態を監視し、無応答状態を検出した場合は、通信回線の切断を通信装置に指示する回線監視手段と、通信手段によって通信回線が構築される特定のデータ伝送装置から所定のタイミングで計測データを受信し、データベースに記録するデータ管理手段とを備えることである。
【０００８】
上記目的を達成するために、本発明であるデータ管理収集システムは、計測データを蓄積記憶する複数のデータ伝送装置、及び通信装置と計測データを記憶するデータベースとを備えるデータ管理装置から構成されるデータ管理収集システムであって、データ伝送装置は、計測データを蓄積記憶する計測データ記憶手段と、データ管理装置との通信回線を構築し、計測データを計測データ記憶手段から取得し、データ管理装置へ送信する通信手段とを備え、データ管理装置は、データ伝送装置との計測データの送受信の状態を監視し、無応答状態を検出した場合は、通信回線の切断を通信装置に指示する回線監視手段と、通信装置によって通信回線が構築される特定のデータ伝送装置から所定のタイミングで計測データを受信し、データベースに記録するデータ管理手段とを備えることを特徴とする。
【０００９】
また、本発明であるデータ管理収集システムは、上述のデータ管理収集システムであって、データ伝送装置は、被計測機器に異常が発生した際に発せられる異常信号を受信、または計測データ記憶手段に異常な値の計測データが記憶されたことを検出すると、その異常の状況を記録した異常データを生成し、通信手段に当該異常データの送信を指示する機器監視手段を備えることを特徴とする。
【００１０】
また、本発明であるデータ管理収集システムは、上述のデータ管理収集システムであって、データ伝送装置は、停電時に電力を供給する補助電源を備え、計測データ記憶手段は、停電時に補助電源から電力を供給されることを特徴とする。
【００１１】
また、本発明であるデータ管理収集システムは、上述のデータ管理収集システムであって、データ管理手段は、異常データを受信すると、予め設定された通信機器に対して異常が発生した旨のメッセージを送信することを特徴とする。
【発明の効果】
【００１２】
本発明によれば、データ伝送装置側が無応答になった場合に、データ管理装置側から通信回線を切断することによって、無駄な通信費の発生を防止することができる。
【００１３】
また、異常が発生した際には、データ伝送装置は通報が完了するまで送信を繰り返すので、確実に異常な状態を通報することができる。
【００１４】
また、データ伝送装置は、上位側のデータ管理装置が故障し、または回線の状況が悪くなった場合に、計測データを送信できない状態が発生してもその計測データを保持し続け、計測データの欠落を防止する。
【００１５】
また、異常が発生したことを他の通信装置に通報することによって、迅速に作業者へ通報することができ、非常時に素早い対応が可能となる。
【発明を実施するための最良の形態】
【００１６】
本発明の実施形態について図に基づいて説明する。なお、上下水道のプラントに適用した例を示す。
【００１７】
（第１の実施形態）
図１に示すように、第１の実施形態におけるデータ管理収集システム１は、ディスプレイ等の表示部２４を備えるデータ管理装置２と、複数のデータ伝送装置３ａ、３ｂを有しており、中央監視室側には、データ管理装置２の他に、計測データ等を印刷するプリンタ４、外部との回線を接続する通信装置（以降、モデム５と称す）を有している。
【００１８】
図２は、データ管理装置２で表示部２４のディスプレイに表示されるプロセスフロー画面の一例である。
【００１９】
図２に示すように、現在接続中で近接するデータ伝送装置３ａから収集している計測データであるリアルタイムデータと、現在は未接続で前回収集接続し遠隔地のデータ伝送装置３ｂからの計測データであるバッチデータを、同一の画面から管理できるようにしたことが、特徴的である。データ伝送装置３ａは、図示していない計測装置が計測した計測データを受信し、リアルタイムで計測データをデータ管理装置２へ送信している（「リアルタイム処理」という）。データ伝送装置３ｂは、図示していない計測装置が所定の期間に計測した計測データを、計測データ記憶部３２に記憶し、データ管理装置２の送信要求に応じて、所定の期間ごとに計測データをデータ管理装置２へ送信する（「バッチ処理」という）。データ伝送装置３ａ、３ｂは、リアルタイム処理及びバッチ処理の何れか１つ、または両方の処理により、計測データをデータ管理装置２へ送信する。そして、図２に示すように、リアルタイムデータ及びバッチデータが、表示部２４に同時に表示される。リアルタイムデータ及びバッチデータが同時に処理され、表示されることにより、各データ伝送装置の処理状況に応じたデータを一括して管理できる。
【００２０】
このディスプレイでは、表示されているデータが、リアルタイムデータであるか、バッチデータかを認識できるようにするために、バッチデータを表示する場合は網掛け表示とし、リアルタイムデータの表示を行う際には、網掛けをはずした表示としている。例えば、図３に示すように、配水池４０の水深が、水深表示部４０ａに９．９９ｍと表示されている。水深表示部４０ａは、網掛け表示であるので、かかる表示はバッチデータである。そして、時刻表示部４０ｂには、データ管理装置２が、配水池４０の計測データをバッチ処理した時刻が表示される。図３では、２００４年８月２６日１２時００分００秒に、配水池４０の計測データがバッチ処理された。一方、図４に示すように、配水池４１の水深が、水深表示部４１ａに７．８９ｍと表示されている。水深表示部４１ａは、網掛けをはずした表示であるので、かかる表示はリアルタイムデータである。そして、時刻表示部４１ｂには、データ管理装置２が、配水池４０の計測データをリアルタイム処理している時刻が表示される。即ち、現在の時刻が表示される。図４では、２００４年８月２６日１２時３４分５６秒に、配水池４１の計測データがリアルタイム処理されている。ここで、表示を区別する方法は、表示の区別がつくものであれば、網掛けに限定されるものではなく、例えば色を変えて表示する等でもよい。また、バッチデータを表示する際には、前回接続した時刻がオペレータにわかるように、前回の接続修了時刻も表示するようにしてもよい。
【００２１】
図２に示すように、回線の状態を表示する回線状態表示部４２には、一般公衆回線６または専用回線８を介して、データ管理装置２がデータ伝送装置３ｂと通信回線を構築した時間が表示される。リアルタイム処理を行っている場合は、「通話中」という表示と共に、通信回線を構築している時間が、回線状態表示部４２に表示される。監視ステーション表示部４３には、通信回線を構築しているデータ伝送装置が表示される。
【００２２】
また、中央監視室に近接する被計測機器（場内監視用）にはデータ伝送装置３ａが備え付けられ、ＲＳ−２３２Ｃ等の専用回線で接続され所定のタイミングで常時データ管理装置２に計測データを送信する。また、遠隔地の被計測機器（場外監視用）にはデータ伝送装置３ｂが備え付けられ、アナログ方式またはデジタル方式の一般公衆回線６または専用回線８（有線、無線を問わず、またメタル線、光ファイバーを問わず）を介して所定のタイミングで定期的にデータ管理装置２に計測データを送信する。
【００２３】
また、データ管理収集システム１には、異常発生時の緊急連絡先としてＦＡＸ１１、リモート監視用のコンピュータ１２、作業者が携帯する携帯電話／ＰＨＳ１３が用意され、インターネットやイントラネット等のネットワーク７を介してデータ管理装置２に接続され、被計測機器に異常が発生した際に、その通報がされる。また、リモート監視用のコンピュータ１２は、データ管理装置２のディスプレイに表示される諸情報と同じものが表示される。
【００２４】
データ管理装置２は、回線監視部２１、及びデータ管理部２２を有し、データ伝送装置３から送信される計測データを記憶するデータベース２３を備える。
【００２５】
回線監視部２１は、モデム５を介して行われるデータ伝送装置３との各種データの送受信の状態を監視し、無応答状態の検出を行う機能を有する。無応答状態とは、例えば、オペレータが一定の時間以上、通信回線を接続している場合をいう。また、データ管理部２２は、所定のタイミングで特定のデータ伝送装置３との通信回線を構築するようモデム５に指令し、接続したデータ伝送装置３に計測データの送信を要求し、モデム５を介して受信する計測データをデータベース２３に記録する機能を有し、データ伝送装置３から異常発生を示すデータを受信すると、ＦＡＸ１１、リモート監視用のコンピュータ１２、携帯電話／ＰＨＳ１３等に、異常が発生した旨を通報する機能を有する。
【００２６】
また、データベース２３には、計測データとあわせて送信元のデータ伝送装置３を識別する機器情報、計測データを受信した時刻または異常が発生した時刻、受信状態（正常または異常）を示すフラグ値が関連付けられて記録される。例えば、図５に示すように、被計測機器に異常が発生した際に発せられる異常信号を、データ管理部２２が受信した場合、データベース２３には、日時、通報先、通報内容、通報種別、結果、通報失敗原因などが記録される。
【００２７】
また、データ伝送装置３は、複数種の通信回線に接続可能な複数種のインターフェースを備え、通信部３１、計測データ記憶部３２、及び機器監視部３３を有し、図示しない記憶装置、または補助記憶装置にアドレスデータ３４を記憶する。インターフェースには、無線（パケット通信）、デジタル公衆回線（ＩＳＤＮ等）、アナログ回線（ＡＤＳＬ等）、ＣＡＴＶ、ＶＰＮと接続可能なインターフェースがある。
【００２８】
通信部３１は、一般公衆回線６または専用回線８を介してモデム５に接続して通信回線を構築し、データ伝送装置３とデータ管理装置２が接続されると計測データを送信する機能、異常が発生した際には通信回線を構築してデータ伝送装置３とデータ管理装置２を接続し、異常データを送信する機能を有する。
【００２９】
計測データ記憶部３２は、被計測機器に備え付けられている各種計測装置から供給される温度データや圧力データ、流量データといった計測データを記憶する機能（いわゆるロガー機能）を有する。この計測データ記憶部３２は、停電時においても計測データを保持する（容量的には、数日間のデータを記憶できるようにする。）ように、例えば電池のような非常用電源が備え付けられている。そして、計測データを送信できない状態が発生しても、その計測データを数ヶ月間は保持し続けるようになっており、計測データの欠落を防止する。また、計測データ記憶部３２は、不揮発性の半導体メモリ、例えばフラッシュメモリのような記憶装置で構成されてもよい。図６に示すように、データ伝送装置３は、補助記憶部３５及び補助電源３６を備えてもよい。補助記憶部３５は、計測データ記憶部３２が蓄積記憶する計測データと同様の計測データを記憶蓄積する。即ち、補助記憶部３５は、計測データ記憶部３２が記憶する計測データのバックアップ用の記憶装置である。補助電源３６は、停電時にデータ伝送装置３に電力を供給する。補助電源３６は、通信部３１、計測データ記憶部３２、機器監視部３３、補助記憶部３５に電力を供給し、停電時にもデータ伝送装置３が正常に機能するようにする。
【００３０】
機器監視部３３は、上下水道の設備、例えば、ポンプや配管、バルブ開閉装置等の被計測機器に異常が発生した際に各種計測装置から発せられる異常信号を受信、または計測データ記憶部３２に異常な値の計測データが記憶されたことを検出すると、その異常の状況を記録した異常データを生成し、通信部３１にその異常データを送信するよう指示する機能を有する。
【００３１】
アドレスデータ３４は、異常が発生した際に、異常データを受信するデータ管理装置２のアドレス情報が記録されたデータである。
【００３２】
≪通常の計測データの収集≫
次に、通常の計測データの収集処理について、図７のシーケンス図に基づいて説明する。
【００３３】
通常、遠隔地にあるデータ伝送装置３ｂからの計測データの収集処理は、バッチ処理として行われる。また、各種計測装置から供給される温度データや圧力データ、流量データといった計測データは、計測時刻と共に計測データ記憶部３２に蓄積されている。
【００３４】
まず、データ管理装置２のデータ管理部２２は、データ伝送装置３ｂが計測データを送信する時刻に至ったことを検出すると（ステップＳ０１）、データ伝送装置３ｂとの通信回線を構築するようモデム５に指令し、データ伝送装置３ｂへ接続する（ステップＳ０２）。
【００３５】
通信回線が構築された後、データ管理装置２のデータ管理部２２は、そのデータ伝送装置３ｂに対して計測データの要求を送信し（ステップＳ０３）、データ伝送装置３ｂの通信部３１は、データ管理装置２から計測データの要求を受信すると、計測データ記憶部３２から記録されている計測データを取得し、その取得したデータ管理装置２へ送信する（ステップＳ０４）。
【００３６】
データ管理装置２のデータ管理部２２は、計測データを受信すると、その受信した計測データと供に送信元のデータ伝送装置３ｂを識別する機器情報、計測データを受信した時刻、受信状態（正常または異常）を示すフラグ値をデータベース２３に記録する（ステップＳ０５）。
【００３７】
所定の計測データをデータベース２３に記録した後、データ管理部２２は、データ伝送装置３ｂとの通信回線を切断するようモデム５に指令し、データ伝送装置３ｂとの通信回線を切断する（ステップＳ０６）。
【００３８】
なお、中央監視室に近接するデータ伝送装置３ａは常時データ管理装置２と接続されているので、各種計測装置から計測データが供給されると、データ伝送装置３ａは、その都度、データ管理装置２へ計測データを送信することとし、詳細な説明は省略する。データ管理装置２は、データ伝送装置３ａから送信される計測データもデータベース２３に記録する。
【００３９】
データ管理装置２は、このようにデータ伝送装置３ａ及びデータ伝送装置３ｂから収集した計測データを、被計測機器と共にデータ管理装置２の表示部２４に表示する。例えば、上下水道の配管路と共に、温度や圧力、流量の各計測値が計測時刻または受信時刻と共に、所定の時間間隔で更新表示される。
【００４０】
≪異常時の回線切断≫
次に、通信回線の異常時における回線切断処理について、図８のシーケンス図に基づいて説明する。
【００４１】
通常の計測データの収集処理においては、データ管理装置２の回線監視部２１は、データ管理装置２−データ伝送装置３ｂ間の通信状態を監視している。仮に、所定の時間以上、データ伝送装置３ｂが無応答であった場合、通信回線を接続し続けることは、場合によっては通信帯域を無駄に消費することにもなり、また、通信費が無駄に発生することにもなり、ランニングコストが増大する。
【００４２】
そこで、通信異常が発生した際には、データ管理装置２−データ伝送装置３ｂ間の通信回線を切断して、通信回線を開放する。例えば、オペレータが離席しているため、回線監視部２１が、通信回線が予め設定された時間より長い間接続されていると判断した場合は、回線監視部２１が、通信回線を切断するか否かの選択情報を、表示部２１に表示させる。通信回線の切断が選択された場合、または、一定時間、いずれも選択されなかった場合は、回線監視部２１が、通信回線を切断する。
【００４３】
まず、データ管理装置２のデータ管理部２２は、データ伝送装置３ｂが計測データを送信する時刻に至ったことを検出すると（ステップＳ１１）、データ伝送装置３ｂとの通信回線を構築するようモデム５に指令し、データ伝送装置３ｂへの通信回線を接続する（ステップＳ１２）。
【００４４】
通信回線が構築された後、データ管理装置２のデータ管理部２２は、そのデータ伝送装置３ｂに対して計測データの要求を送信する（ステップＳ１３）。データ伝送装置３ｂの通信部３１は、正常であればデータ管理装置２から計測データの要求を受信すると、計測データ記憶部３２から記録されている計測データを取得し、その取得したデータ管理装置２へ送信するが（ステップＳ１４）、何等かの異常が発生した場合は、無応答となる。
【００４５】
データ管理装置２の回線監視部２１は、無応答であることを検出すると（ステップＳ１５）、無応答のまま所定の時間が経過したかどうか判定する（ステップＳ１６）。無応答のまま所定の時間が経過した場合は、回線監視部２１は、データ管理部２２に通信異常の発生を通報し、通信回線の切断を指示する。データ管理部２２は、通信回線の切断を指示されると、データ伝送装置３ｂとの通信回線を切断するようモデム５に指令し、データ伝送装置３ｂへの通信回線を切断する（ステップＳ１７）。また、データ管理部２２は、データベース２３に異常が発生した時刻と異常発生を示すフラグ値などを記録する。
【００４６】
次に、データ管理装置２のデータ管理部２２は、通信異常が発生した旨のメッセージ等を表示部２４のディスプレイに表示し（ステップＳ１８）、作業者に通報する。例えば、通常上下水道の配管路と各データ伝送装置３ａ及び３ｂからの計測データが表示されている画面に、無応答状態が発生した場合には、通信異常が発生した旨のメッセージや網掛け表示、警告マークと共に、無応答となった時刻が合わせて表示される。
【００４７】
このように、データ伝送装置３側が無応答になった場合に、データ管理装置２側から通信回線を切断することによって、無駄な通信費の発生を防止することができる。
【００４８】
≪機器異常時の通報≫
次に、異常が発生した際の通報処理について、図９のシーケンス図に基づいて説明する。
【００４９】
上下水道の設備、例えば、ポンプや配管、バルブ開閉装置等の被計測機器に異常が発生した際には、データ伝送装置３ｂは、予め登録された通報先の機器に接続して、異常が発生したことを通報する。ポンプの停止または故障により流量が低下した場合、配管内の水圧が閾値を超えた場合、及びバルブの故障により流量が調節できなくなった場合に、流量センサまたは圧力センサの計測データに基づいて、機器監視部３３が被計測機器の異常を感知する。或いは、水質（残塩濃度、濁度）、水温、水圧、水位、流量、色度など様々なプロセス値が閾値を超えた場合に、データ伝送装置３は、予め登録された通報先の機器に接続して、異常が発生したことを通報する。つまり、計測装置により計測された計測データが所定の閾値を超えた際に、機器監視部３３は、プラント機器異常、計測値異常、システム異常を感知し、異常信号を発する。
【００５０】
まず、データ伝送装置３ｂの機器監視部３３は、各種計測装置から発せられる異常信号を受信、または計測データ記憶部３２に異常な値の計測データが記憶されたことを検出すると（ステップＳ２１）、その異常の状況を記録した異常データを生成し、通信部３１にその異常データを送信するよう指示する。
【００５１】
通信部３１は、機器監視部３３からの指示に基づいて、アドレスデータ３４を参照してデータ管理装置２とデータ伝送装置３ｂとの通信回線を接続して（ステップＳ２２）、データ管理装置２に対して異常データを送信する（ステップＳ２３）。データ管理装置２が異常データを受信せず送信完了しなかった場合（ステップＳ２４でＮＯの場合）、または、ステップＳ２２で通信回線を接続できなかった場合は、通信部３１は、所定の時間待機した後、再度通信回線の接続を行う。例えば、予め設定された回数、通信部３１が通信回線の再接続を行う。通信部３１は、異常データが送信されたか否かを示す情報、及び異常データが送信されなかった理由（受信側が話し中、受信側が留守など）を示す情報を、データとして格納する。通信部３１は、これらのデータを、データ管理装置２へ送信し、データベース２３に格納させる。
【００５２】
データ管理装置２のデータ管理部２２は、異常データを受信すると異常発生を示すメッセージ（警告音、音声、文書等）を作成し、異常が発生したこと及び異常の状況を示す警告データを、表示部２４に表示させる。また、データ管理部２２は、ネットワーク７を介してＦＡＸ１１、リモート監視用のコンピュータ１２、作業者が携帯する携帯電話／ＰＨＳ１３などの通信機器へ、警告データを送信する。データ伝送装置３の通信部３１は、一般公衆回線６、ネットワーク７、専用回線８を介して、直接通信機器へ異常データまたは警告データを送信してもよい。この場合、機器監視部３３が異常データ及び警告データを生成し、通信部３１が異常データまたは警告データの送信が完了するまで、通信回線の接続を行う。また、アドレスデータ３４には、各通信機器のアドレスが登録され、このアドレスに基づき、各通信機器へ異常データまたは警告データが送信される。データ管理部２２は、異常データに記録されている異常発生の状況をプリンタ４に出力してもよい。
【００５３】
通信回線が接続され、異常データを送信完了した後に、通信部３１は、通信回線を切断する（ステップＳ２５）。
【００５４】
このように異常が発生したことを通報することによって、迅速に作業者へ通報することができ、非常時に素早い対応が可能となる。
【００５５】
データ管理装置２のデータ管理部２２は、異常データを受信すると、異常が発生したこと及び異常の状況を示す警告データを、表示部２４に表示させる。例えば、図１０に示すように、タグ番号、タグ名称、アラームメッセージ、レベル、時刻などが表示される。タグ番号Ｄ１０００の警告は、図２に示すポンプ４４の故障を示す。そして、ポンプ４４の異常のレベルは、未確認重である。また、タグ番号Ｄ１００１の警告は、図２に示す配水池４０の上上限値異常を示す。そして、配水値４０の異常レベルは、確認済重である。異常レベルに応じて、表示の色を変えたり、表示を点滅させてもよい。
【００５６】
異常が発生した際の通報処理において、データ管理部２２は、異常データまたは警告データが通信機器に送信されたことを、データベース２３に記録する。例えば、図５に示すように、Ｎｏ．１１で２００４年８月２５日１９時３０分４３秒に、ファックスに警告データが送信されているが、送信が失敗している。
【００５７】
（第２の実施形態）
図１１に示すように、第２の実施形態におけるデータ管理収集システムは、データ伝送装置３ｂが、通信部３１と接続されるインターフェース３７を更に備える点で、第１の実施形態と異なる。また、通信部３１が、一般公衆回線６または専用回線８を介して、他のデータ伝送装置３ｃと通信回線を構築し、他のデータ伝送装置３ｃが蓄積記憶した計測データを取得し、取得した計測データを計測データ記憶部３２に記憶させる点で、第１の実施形態と異なる。通信部３１は、データ伝送装置３ｃから取得した計測データを、インターフェース３７を介してコンピュータ１４に直接記憶させてもよい。コンピュータ１４は、インターフェース３７を介して、データ伝送装置３ｂに接続される。コンピュータ１４は、通信部３１を介して、計測データ記憶部３２に記憶される計測データを読み出す。または、コンピュータ１４は、通信部３１から計測データを直接読み出す。かかる計測データは、コンピュータ１４と接続されるデータ伝送装置３ｂの計測データのみならず、他のデータ伝送装置３ｃの計測データをも含む。  
≪通常の計測データの収集≫
次に、通常の計測データの収集処理について、図１２のシーケンス図に基づいて説明する。
【００５８】
通常、遠隔地にあるデータ伝送装置３ｃからの計測データの収集処理は、バッチ処理として行われる。また、各種計測装置から供給される温度データや圧力データ、流量データといった計測データは、計測時刻と共に、データ伝送装置３ｃの計測データ記憶部（図示しない）に蓄積されている。
【００５９】
まず、コンピュータ１４が、データ伝送装置３ｃの計測データを収集する命令を、データ伝送装置３ｂへ送信する。通信部３１は、この計測データ収集命令を検出し（ステップＳ３１）、アドレスデータ３４を参照してデータ伝送装置３ｃとの通信回線を接続する（ステップＳ３２）。
【００６０】
通信回線が構築された後、データ伝送装置３ｂの通信部３１は、そのデータ伝送装置３ｃに対して計測データの要求を送信し（ステップＳ３３）、データ伝送装置３ｃの通信部は、データ伝送装置３ｂから計測データの要求を受信すると、計測データ記憶部から記録されている計測データを取得し、その取得したデータ伝送装置３ｂへ送信する（ステップＳ３４）。
【００６１】
データ伝送装置３ｂの通信部３１は、計測データを受信すると、その受信した計測データと供に送信元のデータ伝送装置３ｃを識別する機器情報、計測データを受信した時刻、受信状態（正常または異常）を示すフラグ値を計測データ記憶部３２に記録する（ステップＳ３５）。通信部３１は、受信した計測データと供に送信元のデータ伝送装置３ｃを識別する機器情報、計測データを受信した時刻、受信状態（正常または異常）を示すフラグ値を、コンピュータ１４に直接記録してもよい。
【００６２】
所定の計測データを計測データ記録部３２に記録した後、通信部３１は、データ伝送装置３ｃとの通信回線を切断する（ステップＳ３６）。
【００６３】
計測データの要求に対して、データ伝送装置３ｃが無応答で、ステップＳ３５において、データ伝送装置３ｂの通信部３１が、所定の時間内に計測データを受信できなかった場合は、図８に示す第１の実施形態のプロセスと同様に、通信部３１がデータ伝送装置３ｃとの通信回線を切断してもよい。
【００６４】
なお、データ伝送装置３ｂとデータ伝送装置３ｃが、専用線８で常時接続されている場合は、通信回線を切断するステップＳ３６がなくてもよい。
【００６５】
データ伝送装置３ｃから収集した計測データを、アラーム履歴、トレンドグラフ、プロセス情報と共にコンピュータ１４の表示部に表示する。
【００６６】
アドレスデータ３４には、データ伝送装置３ｃのアドレス情報が記録される。アドレスデータ３４に登録されたアドレス情報は、コンピュータ１４または図１に示すデータ管理部２２により更新することができる。
【００６７】
第２の実施形態によれば、データ管理装置２からだけでなく、データ伝送装置３ｂからも、各データ伝送装置３ｃの計測データを収集できる。また、データ管理装置２が故障した場合にも、データ伝送装置３ｂがデータ伝送装置３ｃから、計測データを直接収集できる。
【００６８】
（その他の実施形態）
その他の実施形態におけるデータ管理収集システムは、第１の実施形態及び第２の実施形態におけるデータ管理収集システムであって、データ管理部２２が、データ伝送装置３が計測データを蓄積記憶するサンプリング間隔を、オンラインまたはオフラインにより設定及び変更する。図１３に示すように、データ管理部２２は、監視ステーションであるデータ伝送装置３ａ、３ｂ、３ｃのサンプリング間隔を管理する。通常は、第１サンプリング間隔で、データ伝送装置３は計測装置が計測した計測データを受信する。図１、図６に示すデータ伝送装置３ａは、１分間隔でサンプリングする。図１、図６、図１１に示すデータ伝送装置３ｂは、５分間隔でサンプリングする。図１１に示すデータ伝送装置３ｃは、１０分間隔でサンプリングする。第１サンプリング間隔より短い第２サンプリング間隔で、データ伝送装置３がサンプリングを行う場合は、データ管理部２２が、第２サンプリング間隔を選択し、データ
伝送装置３にサンプリングを行わせる。第２サンプリング間隔が選択された場合は、データ伝送装置３ａは、３０秒間隔でサンプリングする。データ伝送装置３ｂは、１分間隔でサンプリングする。データ伝送装置３ｃは、リアルタイムでサンプリングする。第２サンプリング間隔は、データ管理部２２により設定変更される。第２サンプリング間隔が選択された場合でも、データ伝送装置３は、第１サンプリング間隔でサンプリングを行う。
【００６９】
図１４に示すデータベース２３には、第１サンプリング間隔でサンプリングされた計測データが記憶される。また、データベース２５には、第２サンプリング間隔でサンプリングされた計測データが記憶される。蓄積記憶された計測データがデータベース２５のデータ記憶容量を超える場合は、先に受信した計測データから順次消去される。
【００７０】
その他の実施形態によれば、中央監視室から各データ伝送装置３のサンプリング間隔を管理できる。また、急遽サンプリング間隔を短くしたい場合にも、中央監視室から各データ伝送装置３のサンプリング間隔を迅速に変更できる。
【図面の簡単な説明】
【００７１】
【図１】第１の実施形態にかかるデータ管理収集システムのシステム構成と機能構成を示す図である。
【図２】ディスプレイの表示の一例を示す図である。
【図３】バッチ処理の表示の一例を示す図である。
【図４】リアルタイム処理の表示の一例を示す図である。
【図５】データベースに記憶される警告データの一例を示す図である。
【図６】補助記憶部及び補助電源を備えたデータ管理収集システムのシステム構成と機能構成を示す図である。
【図７】第１の実施形態にかかるデータ管理収集システムにおける、通常の計測データの収集処理を示すシーケンス図である。
【図８】第１の実施形態にかかるデータ管理収集システムにおける、異常時の回線切断処理を示すシーケンス図である。
【図９】第１の実施形態にかかるデータ管理収集システムにおける、機器異常時の通報処理を示すフローチャートである。
【図１０】表示部に表示される警告データの一例を示す図である。
【図１１】第２の実施形態にかかるデータ管理収集システムのシステム構成と機能構成を示す図である。
【図１２】第２の実施形態にかかるデータ管理収集システムにおける、通常の計測データの収集処理を示すシーケンス図である。
【図１３】データ伝送装置のサンプリング間隔を管理するデータの一例を示した図である。
【図１４】その他の実施形態にかかるデータ管理収集システムにおける、通常の計測データの収集処理を示すシーケンス図である。
【符号の説明】
【００７２】
１  データ管理収集システム
２  データ管理装置
３ａ、ｂ、ｃ  データ伝送装置
４  プリンタ
５  モデム
６  一般公衆回線
７  ネットワーク
８  専用回線
１１  ＦＡＸ
１２  コンピュータ
１３  携帯電話／ＰＨＳ
２１  回線監視部
２２  データ管理部
２３  データベース
２４  表示部
３１  通信部
３２  計測データ記憶部
３３  機器監視部
３４  アドレスデータ
【図１】
2005130467.tif 000003
【図２】
2005130467.tif 000004
【図３】
2005130467.tif 000005
【図４】
2005130467.tif 000006
【図５】
2005130467.tif 000007
【図６】
2005130467.tif 000008
【図７】
2005130467.tif 000009
【図８】
2005130467.tif 000010
【図９】
2005130467.tif 000011
【図１０】
2005130467.tif 000012
【図１１】
2005130467.tif 000013
【図１２】
2005130467.tif 000014
【図１３】
2005130467.tif 000015
【図１４】
2005130467.tif 000016